【手続補正書】
【提出日】平成20年7月3日(2008.7.3)
【手続補正１】
【補正対象書類名】明細書
【補正対象項目名】特許請求の範囲
【補正方法】変更
【補正の内容】
【特許請求の範囲】
【請求項１】  光源手段と、前記光源手段から出射した光束を偏向する偏向手段と、前記偏向手段の偏向面にて偏向された光束を被走査面上に結像させる走査光学系と、を具備する走査光学装置において、
前記走査光学系は、単レンズからなり、
前記単レンズの入射面が主走査方向に平行な軸周りに回転偏心したときに発生する副走査方向の走査線曲がりの方向と、前記単レンズの出射面が主走査方向に平行な軸周りに回転偏心したときに発生する副走査方向の走査線曲がりの方向とが逆方向になるように、前記単レンズの面形状が以下のように設定されていることを特徴とする走査光学装置。
【外１】
2003021802.tif 000001
但し、
ΔＸ２：前記単レンズの出射面のデビエーション
Ｒｘｏ：前記走査光学系の光軸上における前記単レンズの出射面から子線曲率中心までの光軸方向に沿った距離
Ｒｘθ：任意の画角θにおける前記単レンズの出射面から子線曲率中心までの光軸方向に沿った距離
Ｌ２ｏ：前記走査光学系の光軸上における前記単レンズの出射面から前記被走査面までの距離
Ｌ２θ：任意の画角θにおける前記単レンズの出射面から前記被走査面までの距離
ｆｓ２ｏ：前記走査光学系の光軸上における前記単レンズの出射面の副走査方向の焦点距離
ｆｓ２θ：任意の画角θにおける前記単レンズの出射面の副走査方向の焦点距離
Ｎ：前記単レンズの屈折率
ｄｏ：前記走査光学系の光軸上における前記単レンズの入射面と出射面との距離
ｄθ：任意の画角θにおける前記単レンズの入射面と出射面との距離
ｆｓ２ｏ：前記走査光学系の光軸上における前記単レンズの出射面の副走査方向の焦点距離
ｆｓ２θ：任意の画角θにおける前記単レンズの出射面の副走査方向の焦点距離
Ｌ２ｏ：前記走査光学系の光軸上における前記単レンズの出射面から前記被走査面までの距離
Ｌ２θ：任意の画角θにおける前記単レンズの出射面から前記被走査面までの距離
φ：任意の画角θにおける前記単レンズの入射面を出射した後の光束の主走査方向の傾き
【請求項２】  請求項１に記載の走査光学装置と、前記被走査面に配置された感光体と、前記走査光学装置で走査された光束によって前記感光体の上に形成された静電潜像をトナー像として現像する現像器と、前記現像されたトナー像を被転写材に転写する転写手段と、転写されたトナー像を被転写材に定着させる定着器とから成る画像形成装置。
【請求項３】  請求項１に記載の走査光学装置と、外部機器から入力したコードデータを画像信号に変換して前記走査光学装置に入力せしめるプリンタコントローラとから成る画像形成装置。
【手続補正２】
【補正対象書類名】明細書
【補正対象項目名】００１６
【補正方法】変更
【補正の内容】
【００１６】
【課題を解決するための手段】
その問題を解決するために、光源手段と、前記光源手段から出射した光束を偏向する偏向手段と、前記偏向手段の偏向面にて偏向された光束を被走査面上に結像させる走査光学系と、を具備する走査光学装置において、
前記走査光学系は、単レンズからなり、
前記単レンズの入射面が主走査方向に平行な軸周りに回転偏心したときに発生する副走査方向の走査線曲がりの方向と、前記単レンズの出射面が主走査方向に平行な軸周りに回転偏心したときに発生する副走査方向の走査線曲がりの方向とが逆方向になるように、前記単レンズの面形状が以下のように設定されていることを特徴とする構成とした。
【外２】
2003021802.tif 000002
但し、
ΔＸ２：前記単レンズの出射面のデビエーション
Ｒｘｏ：前記走査光学系の光軸上における前記単レンズの出射面から子線曲率中心までの光軸方向に沿った距離
Ｒｘθ：任意の画角θにおける前記単レンズの出射面から子線曲率中心までの光軸方向に沿った距離
Ｌ２ｏ：前記走査光学系の光軸上における前記単レンズの出射面から前記被走査面までの距離
Ｌ２θ：任意の画角θにおける前記単レンズの出射面から前記被走査面までの距離
ｆｓ２ｏ：前記走査光学系の光軸上における前記単レンズの出射面の副走査方向の焦点距離
ｆｓ２θ：任意の画角θにおける前記単レンズの出射面の副走査方向の焦点距離
Ｎ：前記単レンズの屈折率
ｄｏ：前記走査光学系の光軸上における前記単レンズの入射面と出射面との距離
ｄθ：任意の画角θにおける前記単レンズの入射面と出射面との距離
ｆｓ２ｏ：前記走査光学系の光軸上における前記単レンズの出射面の副走査方向の焦点距離
ｆｓ２θ：任意の画角θにおける前記単レンズの出射面の副走査方向の焦点距離
Ｌ２ｏ：前記走査光学系の光軸上における前記単レンズの出射面から前記被走査面までの距離
Ｌ２θ：任意の画角θにおける前記単レンズの出射面から前記被走査面までの距離
φ：任意の画角θにおける前記単レンズの入射面を出射した後の光束の主走査方向の傾き
【手続補正３】
【補正対象書類名】明細書
【補正対象項目名】００１７
【補正方法】削除
【補正の内容】
【手続補正４】
【補正対象書類名】明細書
【補正対象項目名】００１８
【補正方法】削除
【補正の内容】
【手続補正５】
【補正対象書類名】明細書
【補正対象項目名】００１９
【補正方法】削除
【補正の内容】
【手続補正６】
【補正対象書類名】明細書
【補正対象項目名】００２０
【補正方法】削除
【補正の内容】
【手続補正７】
【補正対象書類名】明細書
【補正対象項目名】００２１
【補正方法】削除
【補正の内容】
【手続補正８】
【補正対象書類名】明細書
【補正対象項目名】００２２
【補正方法】削除
【補正の内容】
【手続補正９】
【補正対象書類名】明細書
【補正対象項目名】００２３
【補正方法】削除
【補正の内容】
【手続補正１０】
【補正対象書類名】明細書
【補正対象項目名】００２４
【補正方法】削除
【補正の内容】
【手続補正１１】
【補正対象書類名】明細書
【補正対象項目名】００２５
【補正方法】削除
【補正の内容】
【手続補正１２】
【補正対象書類名】明細書
【補正対象項目名】００２６
【補正方法】削除
【補正の内容】
【手続補正１３】
【補正対象書類名】明細書
【補正対象項目名】００２７
【補正方法】削除
【補正の内容】
【手続補正１４】
【補正対象書類名】明細書
【補正対象項目名】００２８
【補正方法】削除
【補正の内容】
【手続補正１５】
【補正対象書類名】明細書
【補正対象項目名】００２９
【補正方法】削除
【補正の内容】
【手続補正１６】
【補正対象書類名】明細書
【補正対象項目名】００３０
【補正方法】削除
【補正の内容】
【手続補正１７】
【補正対象書類名】明細書
【補正対象項目名】００３１
【補正方法】削除
【補正の内容】
【手続補正１８】
【補正対象書類名】明細書
【補正対象項目名】００３２
【補正方法】削除
【補正の内容】
【手続補正１９】
【補正対象書類名】明細書
【補正対象項目名】００３３
【補正方法】削除
【補正の内容】
【手続補正２０】
【補正対象書類名】明細書
【補正対象項目名】００３４
【補正方法】削除
【補正の内容】
【手続補正２１】
【補正対象書類名】明細書
【補正対象項目名】００３５
【補正方法】削除
【補正の内容】
【手続補正２２】
【補正対象書類名】明細書
【補正対象項目名】００３６
【補正方法】削除
【補正の内容】
【手続補正２３】
【補正対象書類名】明細書
【補正対象項目名】００３７
【補正方法】削除
【補正の内容】